(57)【要約】【課題】  雨量が多い時でも庇の先端部から雨水が滴り落ちることを防止し、ゴルファー等がプレーに集中できるようにする。【解決手段】  帽子１の庇２の上面を伝わり落ちる雨水を顔３の側方に導いて流下させる帽子用雨水処理具であって、顔３の前方の庇２の縁部２ａに挟み付け自在に形成する。庇２の上面を伝わり落ちる雨水を受け、顔３の側方に導いて流下させる筒状の横樋部６を備えて形成する。この場合本発明品は、合成樹脂材で二つ折り状に、且つ上下の両片４ａ、４ｂに復元力を持たせて断面ヘアーピン形に一体成形するのが良い。又横樋部６を、庇２の先端部２ｂに対応する位置を頂点にして両側方に下り勾配に形成すると良い。【選択図】          図１
2005060908.tif 000002
【特許請求の範囲】
【請求項１】
帽子の庇の上面を伝わり落ちる雨水を顔の側方に導いて流下させる帽子用雨水処理具であって、顔の前方の庇の縁部に挟み付け自在に形成されると共に、庇の上面を伝わり落ちる雨水を受け、顔の側方に導いて流下させる筒状の横樋部を備えて形成されていることを特徴とする帽子用雨水処理具。
【請求項２】
請求項１記載の帽子用雨水処理具であって、合成樹脂材で二つ折り状に、且つ上下の両片に復元力を持たせて断面ヘアーピン形に一体成形されていることを特徴とする帽子用雨水処理具。
【請求項３】
請求項１又は２記載の帽子用雨水処理具であって、横樋部が、庇の先端部に対応する位置を頂点にして両側方に下り勾配に形成されていることを特徴とする帽子用雨水処理具。
【発明の詳細な説明】
【技術分野】
【０００１】
本発明は、帽子用雨水処理具に関し、更に詳しくは庇を伝わり落ちる雨水が、庇の先端部から流れ落ちることを防止できるよう形成した帽子用雨水処理具に関するものである。
【背景技術】
【０００２】
例えばゴルフのプレー中に雨が降ると、ゴルファーが打球体勢に入ってクラブを構えたとき、雨水が帽子の庇の先端部から滴り落ち、集中して打球できないことがある。
従来、この種の弊害を防止する帽子としては、例えばクラウン部を撥水性生地で作り、庇の中に、高吸水、高吸湿繊維を含む保水性生地を設けているものがある（特許文献１参照）。
【０００３】
しかし従来品は、雨量が多いと庇で保水し切れず、その結果ゴルファーが打球体勢をとると、庇の先端部から雨水が滴り落ちることを避けられなかった。
又庇が水をたっぷり含むため、帽子を被り直す際に庇を摘むと手指が濡れ、染み出た水が手指を伝わって流れ落ちる、という不利益があった。
【特許文献１】特開２００１−２０７３１９号公報
【発明の開示】
【発明が解決しようとする課題】
【０００４】
本発明は、上記のような従来の実情に鑑み、提案されたものである。
従って本発明の解決しようとする課題は、雨量が多い時でも庇の先端部から雨水が滴り落ちることを防止でき、ゴルファー等がプレーに集中できるよう形成した帽子用雨水処理具を提供することにある。
【課題を解決するための手段】
【０００５】
本発明は、上記の課題を解決するため、次のような技術的手段を採る。
即ち本発明は、図１等に示されるように、帽子１の庇２の上面を伝わり落ちる雨水を顔３の側方に導いて流下させる帽子用雨水処理具であって、顔３の前方の庇２の縁部２ａに挟み付け自在に形成されると共に、庇２の上面を伝わり落ちる雨水を受け、顔３の側方に導いて流下させる筒状の横樋部６を備えて形成されていることを特徴とする（請求項１）。
【０００６】
ここで、帽子１としては、例えば野球帽や学生帽のようなキャップ形帽子のほか、登山帽のように周辺に鍔を有するハット形帽子がある。ハット形帽子の場合、庇２は鍔の部分を意味する。
又ここで、挟み付け自在に形成される、とは、本発明品が庇２を上下から挟んで庇２から落ちないようにする、ということを意味し、具体的にはバネ式のクリップを備え、このクリップで庇２の縁部２ａに挟み付けたり、或いは合成樹脂材で二つ折り状に、且つ上下の両片４ａ、４ｂに復元力を持たせて断面ヘアーピン形に一体成形することで実現される（請求項２）。この請求項２記載のように本発明が構成される場合は、本発明品を、庇２に抜き差しすることで帽子１に着脱できるから、着脱操作を簡単化、迅速化でき、又バネ式のクリップを備える場合に比べ、出っ張りがなくなり薄型化できる、という利点がある。
【０００７】
又本発明は、上記の横樋部６が、庇２の先端部２ｂに対応する位置を頂点にして両側方に下り勾配に形成されているのが好ましい（請求項３）。
【０００８】
なぜならこれによると、庇２から流れる雨水を、顔３の両側にバランス良く流すことができるからである。この場合、横樋部６の形状は、湾曲形状には限られず、直線状でも良い。但し本発明品は、通常、庇２に取り付け易くするため、庇２に合わせて湾曲状に形成されることが多い。従って本発明の場合、横樋部６は、通常、湾曲形状に形成される。
【発明の効果】
【０００９】
本発明は、上記のように構成されているから、これによれば雨水を顔の側方に導いて流すことができ、庇の先端部から雨水が滴り落ちることを防止できる。従って本発明品を、例えばゴルフ等の際に帽子に取り付けて使用すれば、雨水が顔の真下に流れ落ちることを防止できるから、ゴルファー等がプレーに集中できる、という利点がある。
【発明を実施するための最良の形態】
【００１０】
以下、本発明の好適な一実施形態を、添付図面に従って説明する。
図１等において、１は、キャップ形の帽子である。本発明品は、この帽子１の庇２の上面を伝わり落ちる雨水を顔３の側方に導いて流下させる雨水処理具であり、顔３の前方の庇２の縁部２ａに挟み付け自在に形成されている。具体的には、合成樹脂材で二つ折り状に、且つ上下の両片４ａ、４ｂに復元力を持たせて断面ヘアーピン形に一体成形されている。この内、上片４ａの下面には、図３に示されるように、庇２をピンポイント的の押さえて固定するための突起５が適宜箇所に複数形成されている。この実施形態の本発明品は、庇２の湾曲形態に合わせ、全体が湾曲状に形成されている。
【００１１】
又６は、庇２の上面を伝わり落ちる雨水を受け顔３の側方に導いて流下させる筒状の横樋部である。この横樋部６は、この実施形態では庇２の先端部２ｂに対応する位置を頂点にして両側方に下り勾配に湾曲されている。６ａは、横樋部６の開口状の側端である。
【００１２】
次に本発明品の作用を説明する。
本発明品は、図１等に示されるように、庇２に挟み付けて使用する。この場合、両片４ａ、４ｂの復元力に抗して、庇２が両片４ａ、４ｂの間に配置されると、両片４ａ、４ｂの復元力で突起５が庇２を押さえ付け、これにより本発明品が庇２に固定される。庇２を伝わり落ちる雨水は、図２等に矢印で示されるように、上片４ａと庇２との間を抜けて横樋部６に流れ込み、横樋部６で両側方に導かれ、横樋部６の開口状の側端６ａから流れ落ちる。
【００１３】
以上の処において、本発明は、図４に示されるように、横樋部６が庇２の前方に湾曲されているのでも良い。この場合は、雨水が顔３から遠ざかるように流れ落ちる。従ってこれによれば、一層、ゴルファー等の集中度を損なうことがない。
又本発明品は、図６に示されるように、合羽７を着ているときは、合羽７の帽子部７ａの先端７ｂを、帽子１の庇２と一緒に挟み付けることができる。従って本発明品は、合羽７の帽子部７ａの捲れの防止にも役立つ、という利点がある。
【図面の簡単な説明】
【００１４】
【図１】本発明品の好適な一実施形態を示す使用状態時の側面図である。
【図２】同上本発明品の使用状態時の平面図である。
【図３】図２のIII−III線における要部断面図である。
【図４】本発明品の他の実施形態を示す使用状態時の要部平面図である。
【図５】図４のＶ−Ｖ線における要部断面図である。
【図６】本発明品の他の使用例を示す側面図である。
【図７】図６の要部断面図である。
【符号の説明】
【００１５】
１    帽子
２    庇
２ａ  縁部
３    顔
６    横樋部
【図１】
2005060908.tif 000003
【図２】
2005060908.tif 000004
【図３】
2005060908.tif 000005
【図４】
2005060908.tif 000006
【図５】
2005060908.tif 000007
【図６】
2005060908.tif 000008
【図７】
2005060908.tif 000009